(57)【要約】【課題】  画面の明るさを向上できる電子機器を提供する。【解決手段】  実施形態の電子機器は、パネルと、前記パネルの後方に設けられる複数の基板と、前記各基板上に互いに間隙をおいて配置されるとともに、前記パネルを後方から照らす複数の第１ＬＥＤと、前記各基板上の前記間隙のうち、前記パネルの横方向における略中央部にある前記間隙に追加的に配置され、前記パネルを後方から照らす複数の第２ＬＥＤと、を備える。【選択図】図３
2014082022.tif 000002
【特許請求の範囲】
【請求項１】
パネルと、
前記パネルの後方に設けられる複数の基板と、
前記各基板上に互いに間隙をおいて配置されるとともに、前記パネルを後方から照らす複数の第１ＬＥＤと、
前記各基板上の前記間隙のうち、前記パネルの横方向における略中央部にある前記間隙に追加的に配置され、前記パネルを後方から照らす複数の第２ＬＥＤと、
を備える電子機器。
【請求項２】
前記第２ＬＥＤは、前記パネルの縦方向における略上部にある前記間隙に配置される請求項１に記載の電子機器。
【請求項３】
パネルと、
前記パネルの後方に設けられる複数の基板と、
前記パネルの横方向における端部の近傍で前記各基板上に配置され、前記パネルを後方から照らす複数の第１ＬＥＤと、
前記パネルの横方向における略中央部で前記各基板上に配置され、前記第１ＬＥＤよりも大きい出力を有し、前記液晶パネルを後方から照らす複数の第２ＬＥＤと、
を備える電子機器。
【請求項４】
パネルと、
前記パネルの後方で互いに隙間をおいて設けられる複数の第１基板と、
前記各第１基板上に配置されるとともに、前記パネルを後方から照らす複数の第１ＬＥＤと、
前記パネルの横方向における略中央部で、前記パネルの後方の前記隙間に追加的に設けられる複数の第２基板と、
前記各第２基板上に配置されるとともに、前記パネルを後方から照らす複数の第２ＬＥＤと、
を備える電子機器。
【請求項５】
前記複数の第１ＬＥＤと、前記複数の第２ＬＥＤとは、前記パネルの横方向において互い違いに位置される請求項４に記載の電子機器。
【請求項６】
前記複数の第１ＬＥＤおよび前記複数の第２ＬＥＤに電流を流すとともに、ＰＷＭ制御で前記第１ＬＥＤのデューティー比よりも前記第２ＬＥＤのデューティー比を高くした制御部を備える請求項４に記載の電子機器。
【発明の詳細な説明】
【技術分野】
【０００１】
本発明の実施形態は、表示画面を有する電子機器に関する。
【背景技術】
【０００２】
液晶パネルを裏面から照明するためのバックライトユニットが開示されている。
【先行技術文献】
【特許文献】
【０００３】
【特許文献１】特許第４０７３４３５号公報
【発明の概要】
【発明が解決しようとする課題】
【０００４】
本発明が解決しようとする課題は、画面の明るさを向上できる電子機器を提供することである。
【課題を解決するための手段】
【０００５】
実施形態の電子機器は、パネルと、前記パネルの後方に設けられる複数の基板と、前記各基板上に互いに間隙をおいて配置されるとともに、前記パネルを後方から照らす複数の第１ＬＥＤと、前記各基板上の前記間隙のうち、前記パネルの横方向における略中央部にある前記間隙に追加的に配置され、前記パネルを後方から照らす複数の第２ＬＥＤと、を備える。
【図面の簡単な説明】
【０００６】
【図１】第１の実施形態の映像表示装置を示した斜視図。
【図２】図１に示す映像表示装置を分解して示した斜視図。
【図３】図２に示すＬＥＤバーの配置を示す正面図。
【図４】第２の実施形態の映像表示装置のＬＥＤバーの配置を示した正面図。
【図５】第３の実施形態の映像表示装置の第１ＬＥＤバーおよび第２ＬＥＤバーの配置を示した正面図。
【図６】第４の実施形態の映像表示装置のＬＥＤバーの駆動回路および接続状態の一部を示した図。
【図７】第５の実施形態の映像表示装置のＬＥＤバーの配置を示した正面図。
【発明を実施するための形態】
【０００７】
以下、図１から図３を参照して、映像表示装置の第１実施形態について説明する。図１に示すように、実施形態の映像表示装置１１（テレビ）は、電子機器の一例であり、略長方形の外観を有している。以下の実施形態では、手前側（即ちユーザ側）を前方向Ｆ、ユーザから見て奥側を後方向Ｂ、ユーザから見て左側を左方向Ｌ、ユーザから見て右側を右方向Ｒ、ユーザから見て上方を上方向Ｕ、ユーザから見て下方を下方向Ｄと定義する。また、以下にいう横方向とは上記左右方向に対応し、縦方向とは上記上下方向に対応する。
【０００８】
図１に示すように、映像表示装置１１は、表示画面が設けられる表示部１２と、表示部１２を支持する支持部１３（脚部、スタンド）と、を備えている。映像表示装置１１は、いわゆるダイレクト方式のバックライトを採用しており、バックライトに用いる光源（ＬＥＤ）を液晶パネル１４の裏側（背面）に格子状に配置している。
【０００９】
図２、図３に示すように、表示部１２は、以下の構成要素を重ね合わせて構成されている。すなわち、表示部１２は、前方から後方に向かって、液晶パネル１４の前方の周囲を取り囲む枠状のフロントベゼル１０と、表示画面を表示する平板状の液晶パネル（パネル、表示パネル）１４と、液晶パネル１４を固定するための固定金具１５と、ＬＥＤバー１６（バックライト）の光を増強する等の種々の光学作用を発揮する複数の光学シート１７と、複数の第１ＬＥＤ２１および複数の第２ＬＥＤ２２を配置した複数（５個）のＬＥＤバー１６と、反射シート２３と、バックカバー２４と、バックカバー２４に取り付けられる映像回路基板２５と、バックカバー２４に取り付けられるとともにＬＥＤ駆動回路を含んだ電源基板２６（制御部）と、映像回路基板２５および電源基板２６を覆うユニットカバー２７と、を備えている。映像表示装置１１の筐体は、フロントベゼル１０、バックカバー２４、およびユニットカバー２７で構成されている。なお、図２では、ＬＥＤバー１６の数が少なく示されている。
【００１０】
各ＬＥＤバー１６（基板）は、細長い板状をなしている。ＬＥＤバー１６同士は、液晶パネル１４の後方で、互いに平行に設けられている。ＬＥＤバー１６同士の間には、隙間が設けられている。各ＬＥＤバー１６は、例えば、バックカバー２４等の筐体或いは液晶パネル１４に固定されている。なお、各ＬＥＤバー１６は、例えば、同じ長さの２個の基板をコネクタ３４で接続して、１本の長い基板として構成される（図３参照）。
【００１１】
図３に示すように、各ＬＥＤバー１６には、複数のＬＥＤが所定の間隔をおいて直列的に設けられている。すなわち、各ＬＥＤバー１６には、互いに所定の間隙（例えば、一定の間隔）をおいて配置された複数の第１ＬＥＤ２１と、これらの第１ＬＥＤ２１同士の間の間隙に追加的に配置された第２ＬＥＤ２２（ブースト用ＬＥＤ）と、が設けられている。本実施形態では、第２ＬＥＤ２２は、第１ＬＥＤ２１と同じ出力のものが使用される。また、第１ＬＥＤ２１および第２ＬＥＤ２２は、いわゆる広配光型のＬＥＤであり、後方から液晶パネル１４を照らすことができる。
【００１２】
第２ＬＥＤ２２は、液晶パネル１４の横方向における略中央部１８に設けられている。この場合、略中央部１８とは、液晶パネル１４の横方向における中間部付近で、液晶パネル１４の横方向の長さの例えば１／３から３／４を占める範囲をいう。
【００１３】
このため、液晶パネル１４の横方向における略中央部１８では、ＬＥＤが高密度で配置される。このように、液晶パネル１４の中央部に高密度でＬＥＤ（第１ＬＥＤ２１および第２ＬＥＤ２２）を配置できるため、中央部おいてより明るい映像表示装置１１が実現される。なお、本実施形態において、第１ＬＥＤ２１および第２ＬＥＤ２２の配置は左右対称かつ上下対称である。
【００１４】
第１実施形態によれば、映像表示装置１１は、パネルと、パネルの後方に設けられる複数の基板と、各基板上に互いに間隙をおいて配置されるとともに、パネルを後方から照らす複数の第１ＬＥＤ２１と、各基板上の間隙のうち、パネルの横方向における略中央部１８にある間隙に追加的に配置され、パネルを後方から照らす複数の第２ＬＥＤ２２と、を備える。
【００１５】
電気店或いは電気製品売り場を訪れたお客は、売り場中に置かれた映像表示装置１１（テレビ）のうち、明るい映像表示装置１１にまず注目するという統計的な調査結果が得られている。上記の構成によれば、パネルの横方向における略中央部１８に第２ＬＥＤ２２を追加的に配置できるため、当該中央部において画面の明るさを向上（画面中央部でバックライトのブースト効果を発揮）できる。これによって、画面全部を明るくする場合に比して、省電力を維持しつつ、例えば売り場に並べられた際に、当該映像表示装置１１が購入される確率を高くできる。これによって、商品の競争力を向上できる。さらに、上記構成によれば、追加する第２ＬＥＤ２２の数も少なくて済み、明るい画面を有した映像表示装置１１を最小コストで実現できる。
【００１６】
続いて図４を参照して、電子機器の一例である映像表示装置の第２の実施形態について説明する。第２の実施形態の映像表示装置は、第２ＬＥＤ２２の構造が第１の実施形態のものと異なっているが、他の部分は第１の実施形態と共通している。このため、主として異なる部分について説明し、第１の実施形態と共通する部分については図示を省略するか或いは説明を省略する。
【００１７】
各ＬＥＤバー１６（基板）は、細長い板状をなしている。ＬＥＤバー１６同士は、互いに平行に設けられており、ＬＥＤバー１６同士の間には、隙間が設けられている。各ＬＥＤバー１６は、バックカバー２４等の筐体或いは液晶パネル１４に固定されている。
【００１８】
各ＬＥＤバー１６には、複数のＬＥＤが所定の間隔をおいて直列的に設けられている。各ＬＥＤバー１６には、互いに所定の間隙をおいて配置された複数の第１ＬＥＤ２１と、互いに所定の間隙をおいて配置された複数の第２ＬＥＤ２２と、が設けられている。本実施形態では、液晶パネル１４の横方向における両端部付近には第１ＬＥＤ２１が配置され、液晶パネル１４の横方向における略中央部１８には第２ＬＥＤ２２が配置されている。言い換えると、ＬＥＤバー１６の横方向における中央部付近は第２ＬＥＤ２２の配置領域（第２配置領域３２）となっており、ＬＥＤバー１６の横方向における両端部付近は第１ＬＥＤ２１の配置領域（第１配置領域３１）になっている。この場合、略中央部１８とは、液晶パネル１４の横方向における中間部付近で、液晶パネル１４の横方向の長さの例えば１／３から３／４を占める範囲をいう。
【００１９】
第１ＬＥＤ２１は、互いに所定の間隙をおいてＬＥＤバー１６（基板）上に配置されている。第２ＬＥＤ２２は、互いに所定の間隙をおいてＬＥＤバー１６（基板）上に配置されている。
【００２０】
第２ＬＥＤ２２には、第１ＬＥＤ２１よりも高出力（高輝度）のＬＥＤが使用されている。具体的には、第１ＬＥＤ２１が一般的な１チップのＬＥＤであるのに対して、第２ＬＥＤ２２には、複数のＬＥＤチップを同一パッケージ内に搭載したチップ増品タイプのＬＥＤや、ＬＥＤチップの面積を通常よりも大きくした大面積タイプのＬＥＤが使用される。
【００２１】
本実施形態では、液晶パネル（パネル、表示パネル）１４の横方向における中央部において、高出力の第２ＬＥＤ２２が集中的に配置されているため、画面の中央部が明るく表示される。
【００２２】
第２実施形態によれば、映像表示装置１１は、パネルと、パネルの後方に設けられる複数の基板と、パネルの横方向における端部の近傍で各基板上に配置され、パネルを後方から照らす複数の第１ＬＥＤ２１と、パネルの横方向における略中央部１８で各基板上に配置され、第１ＬＥＤ２１よりも大きい出力を有し、パネルを後方から照らす複数の第２ＬＥＤ２２と、を備える。
【００２３】
この構成によれば、パネルの横方向における略中央部１８に高出力の第２ＬＥＤ２２を複数配置できるため、画面の中央部を明るくして売り場における映像表示装置１１の競争力を向上できる。
【００２４】
続いて図５を参照して、電子機器の一例である映像表示装置の第３の実施形態について説明する。第３の実施形態の映像表示装置１１は、第２ＬＥＤバー１６Ｂを設けた点で第１の実施形態のものと異なっているが、他の部分は第１の実施形態と共通している。このため、主として異なる部分について説明し、第１の実施形態と共通する部分については図示を省略するか或いは説明を省略する。
【００２５】
表示部１２は、複数の第１ＬＥＤ２１を配置した複数の第１ＬＥＤバー１６Ａ（第１基板）と、複数の第２ＬＥＤ２２を配置した複数の第２ＬＥＤバー１６Ｂ（第２基板）と、を備えている。
【００２６】
各第１ＬＥＤバー１６Ａは、細長い板状をなしている。第１ＬＥＤバー１６Ａ同士は、互いに平行に設けられており、第１ＬＥＤバー１６Ａ同士の間には、隙間３３が設けられている。各第１ＬＥＤバー１６Ａは、同じ長さの２個の基板をコネクタ３４で接続して、１本の長い基板として構成されている。各第１ＬＥＤバー１６Ａには、複数の第１ＬＥＤ２１が所定の間隔をおいて直列的に設けられている。
【００２７】
第２ＬＥＤバー１６Ｂは、上記の隙間３３に配置されている。すなわち、第１ＬＥＤバー１６Ａと第２ＬＥＤバー１６Ｂとは、交互に配置されている。各第２ＬＥＤバー１６Ｂは、細長い板状をなしており、第１ＬＥＤバー１６Ａの約半分の長さを有している。したがって、第２ＬＥＤバー１６Ｂに使用する２個の基板をコネクタ３４で接続すると、第１ＬＥＤバー１６Ａとして使用可能な基板を構成できる。
【００２８】
第２ＬＥＤバー１６Ｂは、液晶パネル１４の横方向における略中央部１８に配置されている。各第２ＬＥＤバー１６Ｂには、複数の第２ＬＥＤ２２が所定の間隔をおいて直列的に設けられている。本実施形態では、第２ＬＥＤ２２は、第１ＬＥＤ２１と同一のＬＥＤで構成されている。また、第２ＬＥＤ２２は、第１ＬＥＤバー１６Ａ上の第１ＬＥＤ２１とは、液晶パネル１４の横方向に関して互い違いに位置されている。
【００２９】
第２ＬＥＤ２２は、液晶パネル１４の横方向における略中央部１８に配置される。この場合、略中央部１８とは、液晶パネル１４の横方向における中間部付近で、液晶パネル１４の横方向の長さの例えば１／３から３／４を占める範囲をいう。
【００３０】
各第１ＬＥＤバー１６Ａ（基板）および各第２ＬＥＤバー１６Ｂは、バックカバー２４等の筐体或いは液晶パネル１４に固定されている。
【００３１】
第３実施形態によれば、映像表示装置１１は、パネルと、パネルの後方で互いに隙間３３をおいて設けられる複数の第１基板と、各第１基板上に配置されるとともに、パネルを後方から照らす複数の第１ＬＥＤ２１と、パネルの横方向における略中央部１８で、パネルの後方の隙間に追加的に設けられる複数の第２基板と、各第２基板上に配置されるとともに、パネルを後方から照らす複数の第２ＬＥＤ２２と、を備える。
【００３２】
この構成によれば、パネルの横方向における略中央部１８に第２基板および第２ＬＥＤ２２を追加的に設けることができるため、中央部が明るく見た目の印象が良好で、且つお客の注意を引くことが可能な映像表示装置１１を提供することができる。
【００３３】
また、複数の第１ＬＥＤ２１と、複数の第２ＬＥＤ２２とは、パネルの横方向において互い違いに位置される。この構成によれば、画面中央部が明るく、且つ表示むらが少ない映像表示装置１１を提供できる。
【００３４】
続いて図６を参照して、電子機器の一例である映像表示装置１１の第４の実施形態について説明する。第４の実施形態の映像表示装置１１は、第２ＬＥＤバー１６Ｂの駆動制御が第３の実施形態のものと異なっているが、他の部分は第１の実施形態と共通している。このため、主として異なる部分について説明し、第３の実施形態と共通する部分については図示を省略するか或いは説明を省略する。
【００３５】
本実施形態では、映像表示装置１１は、図５に示す第３実施形態と同じ配置で、第１ＬＥＤバー１６Ａの第１ＬＥＤ２１および第２ＬＥＤバー１６Ｂの第２ＬＥＤ２２を備える。
【００３６】
図６は、第１ＬＥＤ２１および第２ＬＥＤ２２を通電駆動するための駆動回路および接続状態の一例を示している。複数の第１ＬＥＤ２１のうち最も上流にある第１ＬＥＤ２１のアノードは、電源基板２６（制御部）と接続された＋電源端４１に接続されている。複数の第１ＬＥＤ２１のうち最も下流にある第１ＬＥＤ２１のカソードは、途中にスイッチング素子４３を介在させて電源基板２６の−電源端４２に接続されている。
【００３７】
第１ＬＥＤ２１の発光量は、電源基板２６からスイッチング素子４３に供給されるパルス幅変調信号でデューティー比を変更することで（ＰＷＭ制御を行って）調整できる。
【００３８】
複数の第２ＬＥＤ２２のうち最も上流にある第２ＬＥＤ２２のアノードは、電源基板２６の＋電源端４１に接続されている。複数の第２ＬＥＤ２２のうち最も下流にある第２ＬＥＤ２２のカソードは、途中にスイッチング素子４３を介在させて電源基板２６の−電源端４２に接続されている。図６に示すように、第２ＬＥＤ２２の配線は、第１ＬＥＤ２１用の配線とは独立に設けられている。
【００３９】
第２ＬＥＤ２２の発光量は、電源基板２６からスイッチング素子４３に供給されるパルス幅変調信号でデューティー比を変更することで（ＰＷＭ制御を行って）調整できる。
【００４０】
本実施形態では、第２ＬＥＤ２２のデューティー比は、第１ＬＥＤ２１のデューティー比よりも高く設定されている。具体的には、第１ＬＥＤ２１のデューティー比が例えば０．５（５０％）程度であるに対して、第２ＬＥＤ２２のデューティー比は例えば０．８（８０％）程度である。このため、第１ＬＥＤ２１に比して、第２ＬＥＤ２２の発光量が大きい。このようにして、液晶パネル（パネル、表示パネル）１４の横方向における略中央部１８が明るい映像表示装置１１が実現される。
【００４１】
本実施形態によれば、映像表示装置１１は、複数の第１ＬＥＤ２１および複数の第２ＬＥＤ２２に電流を流すとともに、ＰＷＭ制御で前記第１ＬＥＤのデューティー比よりも第２ＬＥＤのデューティー比を高くした制御部を備える。
【００４２】
この構成によれば、パネルの横方向における略中央部１８で、発光量の大きい第２ＬＥＤ２２を追加的に配置できるため、中央部が明るく見た目の印象が良好で、且つお客の注意を引くことが可能な映像表示装置１１を提供することができる。また、簡単な制御によって画面を明るくすることができ、最小の追加コストで印象の良好な映像表示装置１１を提供できる。
【００４３】
続いて図７を参照して、電子機器の一例である映像表示装置の第５の実施形態について説明する。第５の実施形態の映像表示装置１１は、ＬＥＤバー１６の数および第２ＬＥＤ２２の配置が第１の実施形態のものと異なっているが、他の部分は第１の実施形態と共通している。このため、主として異なる部分について説明し、第１の実施形態と共通する部分については図示を省略するか或いは説明を省略する。
【００４４】
図７に示すように、表示部１２は、複数（例えば３個）のＬＥＤバー１６を備えている。なお本実施形態では、各ＬＥＤバー１６はコネクタ３４を利用していない。
【００４５】
各ＬＥＤバー１６には、複数のＬＥＤが所定の間隔をおいて直列的に設けられている。すなわち、各ＬＥＤバー１６には、互いに所定の間隔の間隙をおいて配置された複数の第１ＬＥＤ２１と、これらの第１ＬＥＤ２１同士の間の間隙に追加的に配置される第２ＬＥＤ２２（ブースト用ＬＥＤ）と、が設けられている。本実施形態では、第２ＬＥＤ２２は、第１ＬＥＤ２１と同じ出力のものが使用される。
【００４６】
第２ＬＥＤ２２は、液晶パネル１４の横方向における略中央部１８にある第１ＬＥＤ２１同士の間隙に設けられている。すなわち、第２ＬＥＤ２２は、液晶パネル１４の横方向における略中央部１８に配置される。この場合、略中央部１８とは、液晶パネル１４の横方向における中間部付近で、液晶パネル１４の横方向の長さの例えば１／３から３／４を占める範囲をいう。
【００４７】
さらに、本実施形態では、第１実施形態とは異なり、液晶パネル１４の横方向における略中央部１８で、かつ液晶パネル１４の縦方向における略上部５１に集中的に第２ＬＥＤ２２が配置されている。この場合、略上部５１とは、液晶パネル１４の縦方向における上側部分で、液晶パネル１４の縦方向の長さの例えば半分から３／４を占める範囲をいう。
【００４８】
このため、液晶パネル１４の略中央部１８の略上部５１では、ＬＥＤが高密度で配置される。このように、液晶パネル１４の中央部上側に高密度でＬＥＤ（第１ＬＥＤ２１および第２ＬＥＤ２２）を配置できるため、液晶パネル１４の中央部おいてより明るい映像表示装置１１が実現される。
【００４９】
本実施形態によれば、第２ＬＥＤ２２は、パネルの縦方向における略上部５１にある間隙に配置される。
【００５０】
近年、映像表示装置１１（テレビ）は大型化しており、ユーザの目線に合うようにユーザが見下ろす位置に映像表示装置１１が設置されることが多い。上記構成によれば、表示画面上でユーザの目に近い位置を重点的に明るくすることができる。これによって、不自然さが緩和され、見た目の印象が良好で、且つお客の注意を引くことが可能な映像表示装置１１を提供できる。また、追加するＬＥＤの数も少なくて済み、最小の追加コストで印象の良好な映像表示装置を提供できる。
【００５１】
なお、映像表示装置１１（電子機器）は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【符号の説明】
【００５２】
１１…映像表示装置、１４…液晶パネル、１６…ＬＥＤバー、１６Ａ…第１ＬＥＤバー、１６Ｂ…第２ＬＥＤバー、１８…略中央部、２１…第１ＬＥＤ、２２…第２ＬＥＤ、２６…電源基板、３３…隙間、５１…略上部
【図１】
2014082022.tif 000003
【図２】
2014082022.tif 000004
【図３】
2014082022.tif 000005
【図４】
2014082022.tif 000006
【図５】
2014082022.tif 000007
【図６】
2014082022.tif 000008
【図７】
2014082022.tif 000009